(57)【要約】  【課題】飲食物案内装置の電力源として電池の交換やバッテリーの再充電の手間を省くことのできる技術の提供。  【解決手段】搬送装置の循環搬送路上に載せて搬送される飲食物案内装置に電力を供給するための電力供給装置であって、循環搬送路の少なくとも一部には、交流電源が供給されて循環搬送路上方に向けた交番磁界を発生する一次コイルを配設し、循環搬送路上に載置された飲食物案内装置には、前記一次コイルと対向した状態で前記一次コイルとの電磁結合による誘導電力を生成するように配設された二次コイル、及び、前記二次コイルで生成した誘導電力を飲食物案内装置に必要な電力として供給する供給手段を内蔵した。【選択図】      図４
2005348455.tif 000002
【特許請求の範囲】
【請求項１】
搬送装置の循環搬送路上に載せて搬送される飲食物案内装置に電力を供給するための電力供給装置であって、
循環搬送路の少なくとも一部には、交流電源が供給されて循環搬送路上方に向けた交番磁界を発生する一次コイルを配設し、
循環搬送路上に載置された飲食物案内装置には、前記一次コイルと対向した状態で前記一次コイルとの電磁結合による誘導電力を生成するように配設された二次コイル、及び、前記二次コイルで生成した誘導電力を飲食物案内装置に必要な電力として供給する供給手段を内蔵したことを特徴とする電力供給装置。
【請求項２】
搬送装置の循環搬送路上に載せて搬送される飲食物案内装置に電力を供給するための電力供給機能を備えた搬送装置であって、
循環搬送路の少なくとも一部に配設されて、交流電源が供給されることにより循環搬送路上方に向けた交番磁界を発生する一次コイルと、
前記一次コイルに交流電源を供給する電源部と、
を備えたことを特徴とする搬送装置。
【請求項３】
循環搬送路上方に向けた交番磁界を発生し得る一次コイルと、前記一次コイルに交流電源を供給する電源部とを備えた搬送装置の循環搬送路上に載せて搬送される飲食物案内装置であって、
循環搬送路に配設された前記一次コイルと対向した状態で前記一次コイルとの電磁結合による誘導電力を生成し得る二次コイルと、
前記二次コイルで生成した誘導電力を飲食物案内装置に必要な電力として供給する供給手段と、
を内蔵したことを特徴とする飲食物案内装置。
【発明の詳細な説明】
【技術分野】
【０００１】
本発明は、飲食店、特に寿司店などにおいて、例えば皿に盛り合わせた寿司を搬送装置の循環搬送路に載せて循環搬送し、顧客が好みの寿司を循環搬送路から取り出して自由に食するようにした店舗で用いる飲食物案内装置に電力を供給する技術に関するものである。
【背景技術】
【０００２】
近年、店内に多数配置されるテーブルやカウンターに沿って循環する循環搬送路を備えた搬送装置を設置した寿司店では、調理人が、厨房室内にてシャリ玉上に寿司ネタを載せて握り、出来上がった寿司を皿上に載せた上で搬送装置の循環搬送路上に移し替え、該搬送装置により客室の各テーブルに順次搬送する一方、顧客は、前記搬送装置により順次送られてくる複数種類の寿司を好みに応じて循環搬送路から任意取り出して、適宜、食するようにしている。
【０００３】
ところで、以上の搬送装置においては、前記したように、調理人が寿司などの飲食物を盛った皿を前記循環搬送路に随時供給するようにしているが、従来の搬送装置では、循環搬送路上に置かれている飲食物が常に循環移動しているので、顧客は搬送路を流れる飲食物の種類を常に注意しなければならず、場合によっては所望の飲食物を取り損ねる不具合もある。
そこで、循環搬送路を介して循環搬送される飲食物を顧客に案内するための飲食物案内装置が使用されることがある。
このような飲食物案内装置は、電池を内蔵しており、モーター等の駆動手段、発光ダイオード等の発光手段、及び音声案内手段を備えたものがある。（例えば、特許文献１参照）
【０００４】
【特許文献１】特開特開２００２−６５４４２号公報
【発明の開示】
【発明が解決しようとする課題】
【０００５】
前記特許文献１に記載された飲食物案内装置によれば、確かに、循環搬送路上の飲食物を顧客に的確に知らすことが出来るようになったが、その電力源は電池もしくはバッテリーであるので、交換したり、充電しなおす必要があるので、使用済みの電池の処分の問題や、充電の手間がかかるという問題があった。
【０００６】
そこで、本発明は、飲食物案内装置の電力源として電池の交換やバッテリーの再充電の手間を省くことのできる技術の提供を目的としてなされたものである。
【課題を解決するための手段】
【０００７】
本発明にかかる請求項１の電力供給装置においては、
循環搬送路の少なくとも一部には、交流電源が供給されて循環搬送路上方に向けた交番磁界を発生する一次コイルを配設し、循環搬送路上に載置された飲食物案内装置には、前記一次コイルと対向した状態で前記一次コイルとの電磁結合による誘導電力を生成するように配設された二次コイル、及び、前記二次コイルで生成した誘導電力を飲食物案内装置に必要な電力として供給する供給手段を内蔵した。
請求項２の搬送装置は、搬送装置の循環搬送路上に載せて搬送される飲食物案内装置に電力を供給するための電力供給機能を備えた搬送装置であって、循環搬送路の少なくとも一部に配設されて、交流電源が供給されることにより循環搬送路上方に向けた交番磁界を発生する一次コイルと、前記一次コイルに交流電源を供給する電源部と、を備えたことを特徴としている。
請求項３の飲食物案内装置は、循環搬送路上方に向けた交番磁界を発生し得る一次コイルと、前記一次コイルに交流電源を供給する電源部とを備えた搬送装置の循環搬送路上に載せて搬送される飲食物案内装置であって、循環搬送路に配設された前記一次コイルと対向した状態で前記一次コイルとの電磁結合による誘導電力を生成し得る二次コイルと、前記二次コイルで生成した誘導電力を飲食物案内装置に必要な電力として供給する供給手段と、を内蔵したことを特徴としている。
【発明の効果】
【０００８】
本発明の請求項１の電力供給装置では、循環搬送路の少なくとも一部には、交流電源が供給されて循環搬送路上方に向けた交番磁界を発生する一次コイルを配設し、循環搬送路上に載置された飲食物案内装置には、前記一次コイルと対向した状態で前記一次コイルとの電磁結合による誘導電力を生成するように配設された二次コイル、及び、前記二次コイルで生成した誘導電力を飲食物案内装置に必要な電力として供給する供給手段を内蔵したので、飲食物案内装置に電力を供給することができる。従って、飲食物案内装置の電池を交換したりバッテリーを取り出して充電したりする手間が省ける。
本発明の請求項２の搬送装置では、循環搬送路の少なくとも一部に配設されて、交流電源が供給されることにより循環搬送路上方に向けた交番磁界を発生する一次コイルと、前記一次コイルに交流電源を供給する電源部と、を備えているので、二次コイルを備えた飲食物案内装置に電力を供給することができる。
本発明の請求項３の飲食物案内装置では、循環搬送路に配設された一次コイルと対向した状態で前記一次コイルとの電磁結合による誘導電力を生成し得る二次コイルと、前記二次コイルで生成した誘導電力を飲食物案内装置に必要な電力として供給する供給手段と、を内蔵しているので、電力供給用の一次コイルを備えた搬送装置に載せることによって、電力の供給を受けることができる。従って、飲食物案内装置の電池を交換したりバッテリーを取り出して充電したりする手間が省ける。
【発明を実施するための最良の形態】
【０００９】
以下に、本発明にかかる電力供給装置を、その実施の形態を示した図面に基づいて詳細に説明する。
図１は、厨房室Ｓｌと客室Ｓ２に設置するカウンターテーブル１ａ及び複数の脚付きテーブル１ｂと、前記厨房室Ｓｌの前面乃至各テーブル１ａ・１ｂに沿って配置した仕切ハウジング２と、仕切ハウジング２上に周回状に設けられて、厨房室Ｓｌ内で皿Ｐに盛り合わされた寿司を各テ−ブル１ａ・１ｂに搬送するための循環搬送路３とを備えた飲食物搬送装置を設けてなる寿司店舗内を平面的に表したものである。
【００１０】
仕切ハウジング２は、図２に示すように、所定間隔開けて相対向する側壁２１・２２と、これら両側壁２１・２２の上端及び下端を結ぶ上壁２３及び底壁（図示せず）とから断面ボックス状に形成されたものであって、前記厨房室Ｓｌの全面に沿って配設されて該厨房室Ｓ１と客室Ｓ２とを区画する第１ハウジング部２ａと、核第１ハウジング部２ａの長手方向両端から屈曲して前記客室Ｓ２内に平行に延びる第２、第３ハウジング部２ｂ・２ｃとから成り、前記第２、第３ハウジング部２ｂ・２ｃにおける側壁２１・２２の外側方には、前記したカウンターテーブル１ａと、脚付きテーブル１ｂとを配置している。
【００１１】
飲食物搬送装置を構成する前記循環搬送路３は、前記各ハウジング部２ａ・２ｂ・２ｃの上壁２３に設けた凹所３１と、該凹所３１の幅方向両側に設けられた案内壁３２に案内されながら前記凹所３１内をモータ駆動により循環移動する無端状のフラットチェーン３３とを備え、図３にも示すように、循環搬送路３のフラットチェーン３３上に、例えば寿司などの飲食物を盛った皿Ｐを載せて循環搬送するようにしている。
なお、前記フラットチェーン３３は樹脂等の非磁性体で構成されている。
【００１２】
そして、図２に示したように、例えば前記厨房室Ｓ１側の循環搬送路３の前記凹所３１の下面には、本発明の搬送装置を実現するために一次コイルＣ１が配設されている。
前記一次コイルＣ１は、巻線が水平になるように前記循環搬送路３の下側に多数配設されている。水平な巻線によって、垂直方向の交番磁界を発生するように構成されている。
前記一次コイルの配置形態としては、図５の（ａ）に示したように、搬送方向に長い長方形状の一次コイルとしてもよいが、図５の（ｂ）に示したように、搬送方向に短い長方形の一次コイルを、搬送方向に多数並べてもよい。なお、このような一次コイルＣ１が配設される領域としては、十分な充電時間を確保するために、搬送方向に沿ってできる限り長い範囲に設定することが好ましい。また、必要に応じて、前記厨房室Ｓ１側だけでなく、客室Ｓ２側にも一次コイルＣ１を配設するとよい。
前記一次コイルＣ１には交流電源装置Ｄから出力される交流電源が接続され、前記交流電源装置Ｄには交流100Ｖもしくは200Ｖ等の商用電源が供給されている。
前記交流電源装置Ｄとしては、商用電源の周波数50Hzもしくは60Hzでもよいが、電力供給効率を良くするために、インバータ装置を内蔵して、数百Hz以上の交流に変換して前記一次コイルＣ１に供給することが好ましい。
【００１３】
４は飲食物案内装置であり、以上の搬送装置の循環搬送路３上に載せて、循環搬送路３を介して循環搬送される飲食物を顧客に案内するためのものである。
前記飲食物案内装置４は、図４に示したように、案内する飲食物が表示された商品表示部５と、商品表示部５を回転駆動する駆動部５１と、商品表示部５に内蔵された光源５２と、飲食物を音声で案内するための音声案内部５３と、音声案内部５３による音声案内の間隔並びにその音量をそれぞれ調整するための調整つまみ５４ａ・５４ｂと、これら商品表示部５や音声案内部５３を搭載するためのケーシング６とを備えている。前記ケーシング６の底面には二次コイルＣ２が配設されている。
【００１４】
また、ケーシング８の側面には、飲食物を案内する音声を予め記録した記録媒体を着脱するためのソケットを備えている。また、図示はしないが、ケーシング８内には、記憶媒体の記録情報に基づいて音声案内部５３を制御するためのマイクロコンピューターから成るコントローラを内蔵している。
また、前記商品表示部５を例えば人形状のものとし、前記駆動部５１によって所定のタイミングで人形の手を動かしたり、目や口を動かしたりするように駆動してもよい。また、前記光源５２を所定のパターンで点滅させてもよい。
【００１５】
前記飲食物案内装置４の回路構成は、図６に示したように、二次コイルＣ２と、整流回路７１と、充電回路７２と、充電池７３とからなる直流供給部７を備えている。
前記直流供給部７から出力される直流は、前記駆動部５１、光源５２、音声案内部５３、前記コントローラに駆動電力として供給される。
【００１６】
上記構成の飲食物案内装置４を、搬送装置の循環搬送路３上に載せて搬送すると、交流が供給されて交番磁界を垂直方向に発生している前記一次コイルＣ１の上を通過するとき、搬送路の一次コイルＣ１と飲食物案内装置４の二次コイルＣ２とは、電磁結合状態となる。  このようにして、前記二次コイルＣ２が、前記一次コイルＣ１と電磁結合状態になると、二次コイルＣ２には誘導電力が発生する。この誘導電力を整流回路７１で全波整流して平滑コンデンサでリップル成分を除去して充電回路７２へ出力する。充電回路７２では、逆流防止ダイオードを通して充電池７３に充電する。このとき、充電池の定格電圧より高い電圧で充電して高速充電するとよい。充電池から直流を取り出す回路には、高速充電にかかる高電圧が出力されることを防止するために、出力遮断回路や電圧安定回路等の出力制御回路を備えるとよい。前記充電回路７２から出力される直流は、前述したように、前記駆動部５１のモータ、光源５２も発光ダイオード、音声案内部５３の電子回路等に駆動電力として供給される。
【００１７】
このようにして供給された電力を前記充電池７３に蓄えるので、飲食物案内装置４が前記循環搬送路３に沿って搬送され、前記客室Ｓ２を搬送される間も、充電池からの電力は飲食物案内装置４の必要部分に供給され続ける。
従って、充電池を取り出して充電する手間が不要であり、電池を交換するという資源の無駄使いもない。
なお、循環搬送路３以外の場所で、予備の飲食物案内装置４を待機させる場所にも前記同様の一次コイルを配設し、待機中に十分な電力を充電するようにしてもよい。
また、飲食物案内装置４の表面に太陽電池パネルを配設して、照明等の光によって常時充電して電力を補充するように構成してもよい。
また、前記充電池としては、メモリ効果の少ないニッケル水素電池等の二次電池や、スーパーキャパシタ等のコンデンサ等を用いることができる。
【実施例１】
【００１８】
また、実施例１では、図４に示すように、飲食物案内装置４のケーシングの底面には二次コイルＣ２を配設し、上部には商品表示部５を配設している。
前記商品表示部５は、循環搬送路３上に載せる寿司の各種類に対応するものを別途形成しておくのであって、例えばトロ、イカ、ハマチなどの寿司の種類を示す文字及びイラストを記載した円錐状のディスプレイを用いている。
【００１９】
また前述の寿司が盛られる皿Ｐ及び飲食物案内装置４のケーシング８には、図３に示したように、各皿Ｐ及び各飲食物案内装置４を特定するための識別マークとして、ＱＲコードを印刷したシールＱを貼り付けている。
【００２０】
尚、シールに印刷する識別コードとして、前述のＱＲコードの外、例えばバーコードを印刷してもよい。
【００２１】
また前記した飲食物搬送装置には、図７に示したように、循環搬送路３上に置かれた飲食物案内装置４により案内される飲食物の種類及びこの飲食物案内装置４に続いて循環搬送路３上に搭載される飲食物の数を検出する飲食物検出手段１１と、循環搬送路３上の飲食物案内装置４に続いて搭載する飲食物の適正個数を設定する適正個数設定手段１２と、飲食物検出手段１１からの出力信号に基づいて、循環搬送路３上の各飲食物の個数が、適正個数設定手段１２で設定された適正個数であるか否かを判定する個数判定手段１３と、個数判定手段１３での判定により、循環搬送路３上の各飲食物の個数が、適正個数設定手段１２で設定された適正個数よりも少ない場合には、その飲食物の種類と不足数を表示する表示手段１４とを設けている。
【００２２】
そして、実施例１では、飲食物検出手段１１をレーザー式のスキャナー１１ａ・１１ｂから構成して、該スキャナー１１ａ・１１ｂにより、飲食物案内装置４並びに飲食物を盛る皿Ｐにそれぞれ貼り付けたシールＱの識別マークを読み取るようにしているのであって、図に示す実施形態では、このスキャナー１１ａ・１１ｂを第２ハウジング部２ｂと第２ハウジング部２ｃの２箇所に設けている。
【００２３】
一方、個数判定手段１３は、飲食物搬送装置の駆動を制御するためのコンピュータから構成された制御装置１５のプログラム上に構築する一方、制御装置１５の入力側に接続したキーボード１６を、適正個数設定手段１２として用い、循環搬送路３上の飲食物案内装置４に続いて搭載する飲食物の適正個数を、前記キーボード１６のキー操作により制御装置１５に入力するようにしている。
【００２４】
具体的には、制御装置１５の記憶部１５ａに、例えば顧客の人数が多い時の各寿司の適正個数と顧客が少ない時の各寿司の適正個数を記憶させておき、キーボード１６のキー操作により、顧客の人数に合わせて、飲食物案内装置４に続いて循環搬送路３上に載せる寿司皿の適正個数を制御装置１５の記憶部１５ａから選択するようにしている。
【００２５】
尚、各種類の寿司の適正個数は、キーボード１６のキー操作により個別に設定するようにしてもよい。
【００２６】
また図に示す表示手段１４は、ＣＲＴ若しくは液晶を用いたモニター１４ａから成り、このモニター１４ａを厨房室Ｓ１内に設置して、制御装置１５の出力側に接続している。
【００２７】
以上の構成からなる飲食物搬送装置は、予め、飲食物案内装置４のケーシング８に貼り付けたシールの識別マークをスキャナー１１ａ・１１ｂで読み取って、その情報を、飲食物案内装置４の商品表示部５に表示されている寿司の種類と共に制御装置１５の記憶部１５ａに記憶させておく。
【００２８】
そして以上の飲食物搬送装置により、寿司を客室Ｓ２の各テーブルに搬送する場合、先ずキーボード１６のキー操作により、各飲食物案内装置４に続いて循環搬送路３上に載せる寿司皿Ｐの適正個数を制御装置１５に入力するのであって、例えば顧客の人数が多い時には、制御装置１５のプログラム上に設定した適正個数中、顧客の人数が多い時の適正個数を選択する一方、顧客の人数が少ない時には、制御装置１５の記憶部１５ａに設定した適正個数中、顧客の人数が少ない時の適正個数を選択した上で、循環搬送路３上に置かれた飲食物案内装置４に続いて、その飲食物案内装置４が示す種類の寿司皿Ｐを、設定した個数だけ循環搬送路３上に載せるのである。
【００２９】
そして循環搬送路３上に供給された寿司は、飲食物案内装置４と共に客室Ｓ２内の各テーブル１ａ・１ｂに循環搬送されるのであって、搬送途中において、商品表示部５による視覚的な表示と同時に、音声案内部のスピーカーから、商品を案内する音声が定期的に流されて、各テーブルの顧客に特定の飲食物が近づいて来たことを順次知らせるのである。これらの必要な電力は、前述したように、循環搬送路３の下面に配設された一次コイルと、各飲食物案内装置４の底面に配設された二次コイルの間の電磁結合による誘導電力によって電極等を介することなく供給される。
【００３０】
このようにして、各テーブルの顧客は、循環搬送路３を流れる飲食物を目で追っていなくても、飲食物案内装置４によって所望の飲食物が来たことを的確に知ることが出来るのである。
【００３１】
一方、各テーブル１ａ・１ｂの客は、好みの寿司が載った皿Ｐを循環搬送路３から適宜取り出して食する一方、取り出されない皿Ｐは循環搬送路３を周回するのである。
【００３２】
そして、各スキャナー１１ａ・１１ｂでは、循環搬送路３上を流れる各皿の識別マークを順次読取って、制御装置１５にその情報を出力する一方、制御装置１５では、記憶部１５ａに記憶している各飲食物搬送装置４の識別マークと比較して、各飲食物搬送装置４を認識すると共に、その飲食物搬送装置４に続いて置かれている皿Ｐの数をカウントして、その数が設定された個数よりも少なくなっている時には、モニター１４ａの画面上に、不足している寿司の種類名とその不足数が表示されるのである。
【００３３】
斯くして、厨房Ｓ１内の調理人は、モニター１４ａに表示されている所定のネタの寿司、例えば、トロとハマチの寿司をそれぞれ２皿分握って皿Ｐに載せて、トロの飲食物案内装置４が厨房室側に来た時点で、トロを飲食物案内装置４の後方の空きスペースに、またハマチの飲食物案内装置４が厨房室側に来た時点で、ハマチを飲食物案内装置４の後方の空きスペースにそれぞれ載せた後、キーボード１６の操作により、モニターの表示をクリアすればよいのであって、換言すれば、調理人はモニターを見るだけで、不足している寿司の種類とその個数が即座に判るので、モニターに表示されている表示に従って順次寿司を用意すればよいのである。
【図面の簡単な説明】
【００３４】
【図１】本発明にかかる電力供給装置の実施の形態の平面配置図である。
【図２】循環搬送路の要部の断面図である。
【図３】循環搬送路の一部の側面図である。
【図４】本発明にかかる飲食物案内装置の斜視図である。
【図５】本発明にかかる搬送装置の要部を説明する説明図である。
【図６】前記飲食物案内装置の回路構成図である。
【図７】実施例の全体的な搬送制御にかかる構成図である。
【符号の説明】
【００３５】
３    循環搬送路３
４    飲食物案内装置
５    商品表示部
５１  駆動部
５２  光源
５３  音声案内部
６    ケーシング
Ｃ１  一次コイル
Ｄ    交流電源装置
Ｃ２  二次コイル
７    直流供給部
７１  整流回路
７２  充電回路
７３  充電池
【図１】
2005348455.tif 000003
【図２】
2005348455.tif 000004
【図３】
2005348455.tif 000005
【図４】
2005348455.tif 000006
【図５】
2005348455.tif 000007
【図６】
2005348455.tif 000008
【図７】
2005348455.tif 000009